(57)【要約】【課題】  大腰筋、大腿四頭筋、内転筋を鍛え、もって足、臀部、ふくらはぎなどのシェイプアップの役に立つ、簡便に使用することのできる筋肉鍛錬用運動用具を提供する。【解決手段】【請求項１】  大腰筋、大腿四頭筋、内転筋などをを鍛えシェイプアップに役立つ筋肉鍛錬用運動用具において、プラットフォームのストッパーとしても機能する少なくと３個のベース部材１，１’，１’’と、ベース部材によって固定的に支持され、下方に向けて僅かに湾曲した円弧状の一対の平行状のレール部材２，２’であってその２対を左右に並設したレール２１と、平板状足載せ板７、足載せ板の裏面に設けたローラー手段６，６’，６’’，６’’’、レール押さえ手段１１，１１’よりなる、各レールにセットされた一対のプラットフォーム３と中央部のベース部材に立設した、頂部にグリップ・バー５を設けたハンドル４とを備える。【選択図】  図１
2005177405.tif 000002
【特許請求の範囲】
【請求項１】
プラットフォームのストッパーとしても機能する少なくと３個のベース部材、
ベース部材によって固定的に支持され、下方に向けて僅かに湾曲した円弧状の一対の平行状に配設されたレール部材であってその２対を左右に並設したレール、
平板状足載せ板、足載せ板の裏面に設けたローラー手段、レール押さえ手段よりなる、各レールにセットされた一対のプラットフォーム、
中央部のベース部材に立設した、頂部にグリップ・バーを設けたハンドル、
とよりなる筋肉鍛錬用運動用具。
【発明の詳細な説明】
【技術分野】
【０００１】  本発明は、運動用具に関し、詳しくは筋肉鍛錬用運動用具に関する。
【技術背景】
【０００２】  従来、種々の筋肉鍛錬用の運動用具が提供されてきており、特に近時健康志向の高まりに伴って多くの運動用具、特に所謂エクササイズと称する運動、鍛錬を目的とした用具が提供されてきている。
それらは基本的にいずれも生体である人体に直接的或いは間接的にかかわるっものであるので、目的が同じようなところにあっても運動、鍛錬などの態様は有機的に多様であり、従ってそのための用具もまたさまざまな態様を取りうる。そのためエクササイズのための用具と言っても極めて多種多様なものが有り得、実際に多くの用具が提供されてきている。
【発明の開示】
【発明が解決しようとする課題】
【０００３】  本発明は特に大腰筋、さらには大腿四頭筋、内転筋を鍛え、それによって足、臀部、ふくらはぎなどのシェイプアップに有用な、しかも新規な構造の筋肉鍛錬用の運動用具を提供するものである。
【課題を解決するための手段】
【０００４】  本発明は上記の課題を解決するために、筋肉鍛錬用運動用具をプラットフォームのストッパーとしても機能する少なくと３個のベース部材、ベース部材によって固定的に支持され、下方に向けて僅かに湾曲した円弧状の一対の平行状に配設されたレール部材であってその２対を左右に並設したレール、平板状足載せ板、足載せ板の裏面に設けたローラー手段、レール押さえ手段よりなる、各レールにセットされた一対のプラットフォーム、中央部のベース部材に立設した、頂部にグリップ・バーを設けたハンドルとより構成した。【０００５】  本発明の筋肉鍛錬用運動用具の主要な構成部材はできるだけ金属性であることが好ましいが、一定の強度が得られ，安全性が確保できるものであれば金属製でなくてもよい。
ベース部材は少なくとも３個を用いる。中央の１個のベース部材を２個に分割しそれぞれ個別に左右のレールを支持する構成としてもよい。その場合は後述のハンドルはどちらか一方に立設してもよいし、中央に位置する２個のベース部材を適当な手段で連結してその連結手段なりあるいは中央のベース部材全体に立設するようにしてもよい。【０００６】  このベース部材はレール上を移動するプラットフォームのストッパーとしても機能する。ストッパーとして機能する場合に衝撃が強いことは好ましくないので、ベース部材の適当な個所或いはプラットフォームの適当な個所にゴムなどの緩衝部材を取り付けることが好ましい。緩衝部材はベース部材であればプラットフォーム側にプラットフォームであればベース部材側に設ける。或いは、プラットフォームの足載せ板自体を硬質ゴムなどで造ることでもよい。
このベース部材は２個一組で、下方に向けて僅かに膨らんだ円弧状の一対のレール部材を平行状に固定的に支持してレールを形成する。この組合せによるレールを左右方向にほぼ一線状に並設する。
レール部材は断面円形であることが好ましいが、断面は楕円形であっても方形であってもよい。それらの場合にはプラットフォームに設けるローラーはその表面形状に適合するものにする。【０００７】  レール部材の円弧は緩やかなものとし、あまり半径の小さい急カーブのものは好ましくない。
中央のベース部材にハンドルを立設する。このハンドルは高さの調節が出来るようにすることが好ましい。高さ調節手段はテレスコピックパイプによることが最も適切簡便である。またハンドルはベース部材に着脱自在であることが好ましい。
ハンドルの頂部には使用者がつかまることのできるグリップを設ける。このグリップはレールと平行方向に突設した短いバーであってよい。
本発明の筋肉鍛錬用運動用具は不特定多数の人が使用するものであるから、使用者の背の高さなどに合わせて適当な高さに調節可能であることが好ましい。【０００８】  プラットフォームは基本的に使用者の足を置くためのほぼ平板状の足載せ板とローラー手段とプラットフォームが着脱可能であるがしかし容易にレールからはずれることの無いようにレールを押えるためのバネ板とよりなる。
足載せ板の形状には特に制限はないが、人体を載せた状態で移動するものであるから移動を制限しない形状であることが必要である。最も好ましいのは足幅より幾分巾の広い方形でさらにコーナー部にアールをつけたものである。
足載せ板の表面は載せた足が滑らないような手段、例えば複数の小突起などを設けることが好ましい。
ローラー手段はプラットフォームがレール上を円滑に且つ的確に移動させるものであればどのようなものであってもよい。
プラットフォームはレールに対して着脱可能であることが好ましいが、あまり簡単に外れることは運動用具として不適正であるので容易に外れることを防止する手段を設ける。この手段についてもプラットフォームの円滑な滑動に支障のないものであれば制限はない。
【発明の効果】
【０００９】  本発明の筋肉鍛錬用運動用具は使用者の体重による荷重を利用して、その体重による荷重に抗して脚を左右に移動させることによって体を上方に持ち上げ、或いは下がろうとする体を一定位置に保持することを足の左右の移動運動のみで行なうことによって特に大腰筋、さらには大腿四頭筋、内転筋を鍛え、もって足、臀部、ふくらはぎなどのシェイプアップの役に立つ。
【発明を実施するための最良の形態】
【実施例１】
【００１０】  本発明の一実施態様を図を用いて説明する。
図１は本発明の筋肉鍛錬用運動用具の斜視図、図２はプラットフォームの裏面の斜視図である。
図において１，１’，１’’はベース部材であり、１は中央のベース部材で他のものより幾分規模が大きい。
この筋肉鍛錬用運動用具はこれらのベース部材によって床上に安定的に置かれる。
ベース部材にはプラットフォームが衝突したときの衝撃をやわらげるために夫々内側にゴムの緩衝部材１４が取り付けてある。
２、２’は緩やかに円弧状に下方に湾曲したレールである。これらのレール２、２’は夫々ベース部材１，１’及び１，１”によって固着的に支持されている。
３はレール上に装着されるプラットフォームである。プラットフォームの足載せ板７の表面には載せた足が滑らないように多数の小さい突起が設けてある。
足載せ板７の裏面には図２に示すように、足載せ板に一体的にバックボーン３０が固着してある。さらに、４個のスプール状のローラー６，６’，６’’，６’’’がバックボーン３０に設けた取付板９、９’，１０，１０’を介してボルト１２とナット１３によって回転可能に取り付けてある。ローラ６，６’及びローラ６’’，６’’’の夫々の間隔は装着されるレールの間隔と同じであり、ローラーの中央の半円状の凹部にレール部材がはまる。【００１２】  バックボーン３０には板バネ８が取り付けてあり、その板バネ８の両端１１，１１’プラットフォームをレール部材２，２’に装着したときに各レール部材を抱かえる形に半Ｕ字型に形成してある。
板バネ８は中央寄りの個所でバックボーン３０に取り付けてあるので、板バネ８の両端側は自由端となって可撓性を持たせてある。
このプラットフォーム３をレール２１に装着する場合にはレール２１に対してプラットフォーム３を斜め状態にして板バネ８の両端１１，１１’がレール部材２，２’の間に位置するように置き、その状態でプラットフォーム３をレール２１に対して直角方向に回転させることで板バネ８の両端の半Ｕ字状の部分にレール部材２，２’をはめ込む。外すときはプラットフォーム３を少し力をいれて装着の時と反対に動かす。
中央のベース部材１の一端にテレスコピックパイプのハンドル４が立ち上げてあり、ハンドルの上端にハンドルと垂直方向に且つレールと平行に短いグリップ５が設けてある。
ハンドル４はテレスコピックパイプであり、伸縮自在である。適当な長さ（高さ）に保持するために外側のパイプから内側のパイプを固定する調節ネジ４１が外側のパイプに設けてある。【００１３】  この筋肉鍛錬用運動用具の使用方法は次のとおりである。
ハンドル４のグリップ５に軽く手を添えて両足を夫々プラットフォーム３の足載せ板７に載せて筋肉鍛錬用運動用具上に立つ。このとき体重の荷重によりプラットフォーム３はレール２，２’の最も下側よりも少し外側寄りに来る。そのまま何の動作もしなければプラットフォーム３はその位置から移動することはないし使用者の姿勢も変わらない。
プラットフォーム３が最初の位置から脚をすぼめたり開いたりすることによってプラットフォーム３は脚の動きにしたがってレール上を横方向に移動する。
脚を外側に開くときは体重の荷重を利用することになるので比較的軽くプラットフォームと脚の位置を移動することができる。最初の位置から脚を閉じるときには体重の荷重に抗して体を持ち上げることになるので外側に開くときに比べて強く筋肉を使うことになる。しかしどちらの方向にプラットフォーム３を動かすにしろ、脚の開閉動作のみで体重の荷重を支え或いは体重の荷重に抗して体を持ち上げることになるので、大腰筋、大腿四頭筋、内転筋などが使われてそれらを鍛えることになる。
脚を閉じたり開いたりしてプラットフォームを移動させて体を持ち上げるときに筋肉が使われて筋肉を鍛錬することは勿論であるが、一定の位置でそのままの脚の位置，状態を維持する場合も筋肉は使用されて筋肉の鍛錬になる。
【図面の簡単な説明】
【００１４】
【図１】  本発明の筋肉鍛錬用運動用具の斜視図である。
【図２】  図１の筋肉鍛錬用運動用具のプラットフォームの裏側の斜視図である。
【符号の説明】
【０００８】  １，１’，１’’  ベース部材
２，２’          レール部材
２１              レール
３                プラットフォーム
４                ハンドル
５                グリップ
６，６’，６’’，６’’’        ローラー
７                プラットフォーム
８                板バネ
【図１】
2005177405.tif 000003
【図２】
2005177405.tif 000004